(57)【要約】  本発明のフェンススプレッダ１０は、第１の面１４及び第２の面１６を有する長尺の支持部材を備え、第１の面及び第２の面は支持部材の両側に配置される。第１の面及び第２の面の各々を横切って形成される複数の受け溝１８が、支持部材の長手方向に沿って互いに離隔配置されている。受け溝１８の各々は、フェンスワイヤを締まり嵌め又はスナップ嵌めの状態で保持するように構成され、また、使用時に隣り合うフェンスワイヤがフェンススプレッダ１０の両側に配置されるように構成されている。【選択図】図１
2017510732.tif 000002
【特許請求の範囲】
【請求項１】
ａ．第１の面及び第２の面を有する長尺の支持部材であって、両側に前記第１の面及び前記第２の面が配置されている支持部材と、
ｂ．前記第１の面及び前記第２の面の各々を横切って形成され、前記支持部材の長手方向に沿って互いに離隔されている複数の受け溝と
を備えるフェンススプレッダであって、
前記受け溝の各々が、フェンスワイヤを締まり嵌め又はスナップ嵌めの状態で保持するように構成され、
使用時に隣り合う前記フェンスワイヤが当該フェンススプレッダの両側に配置されるように前記受け溝が構成されている、フェンススプレッダ。
【請求項２】
前記受け溝の各々が、隣り合う前記受け溝と反対側の面に配置されている、請求項１に記載のフェンススプレッダ。
【請求項３】
前記受け溝は対の状態で、前記支持部材の長手方向に沿って一方が前記第１の面に、他方が前記第２の面に配置されている、請求項１に記載のフェンススプレッダ。
【請求項４】
前記受け溝の各々が前記第１の面又は前記第２の面の凹部として形成されている、請求項１〜３のいずれか一項に記載のフェンススプレッダ。
【請求項５】
前記受け溝の各々が１対の突出部間に形成されている、請求項１〜３のいずれか一項に記載のフェンススプレッダ。
【請求項６】
補強リブが、前記第１の面及び／又は前記第２の面の長手方向に沿って配置されている、請求項１〜５のいずれか一項に記載のフェンススプレッダ。
【請求項７】
前記受け溝の各々の幅が前記支持部材の近くほど狭くなる、請求項１〜６のいずれか一項に記載のフェンススプレッダ。
【請求項８】
前記受け溝の各々が、少なくとも１つの狭窄部分と、少なくとも１つの拡張部分とを含み、前記フェンスワイヤの長手部分が、前記狭窄部分により前記拡張部分内でスナップ嵌め状態で保持されるように構成されている、請求項１〜６のいずれか一項に記載のフェンススプレッダ。
【請求項９】
前記受け溝の各々が面取りされた縁部を含んでいる、請求項１〜８のいずれか一項に記載のフェンススプレッダ。
【請求項１０】
前記受け溝の各々が、１つの直径分のワイヤよりも多くを受けるように構成されている、請求項１〜９のいずれか一項に記載のフェンススプレッダ。
【請求項１１】
バーブドワイヤを受けるように構成された少なくとも１つの副次的受け溝をさらに備える、請求項１〜１０のいずれか一項に記載のフェンススプレッダ。
【請求項１２】
前記副次的受け溝が最上部の受け溝の直下と、上部受け溝から３番目の直下に配置されている、請求項１１に記載のフェンススプレッダ。
【請求項１３】
前記副次的受け溝が、最上部の受け溝と、上部受け溝から３番目のものである、請求項１１に記鎖のフェンススプレッダ。
【請求項１４】
前記副次的受け溝又は複数の前記副次的受け溝の各々が、副次的狭窄部分と副次的拡張部分とを含み、バーブドワイヤの長手部分が前記副次的狭窄部分により前記副次的拡張部分内で保持されるようになっている、請求項１１〜１３のいずれか一項に記載のフェンススプレッダ。
【請求項１５】
絶縁材料から構成されている、請求項１〜１４のいずれか一項に記載のフェンススプレッダ。
【請求項１６】
高密度ポリエチレンから構成されている、請求項１５に記載のフェンススプレッダ。
【請求項１７】
前記受け溝が絶縁性である、請求項１〜１４のいずれか一項に記載のフェンススプレッダ。
【請求項１８】
１つ以上の張出し材をさらに備える、請求項１〜１７のいずれか一項に記載のフェンススプレッダ。
【請求項１９】
前記張出し材又は複数の前記張出し材の各々が、一端に接続部分を有し他端に第１の受け部分を有する長尺部分を含む、請求項１８に記載のフェンススプレッダ。
【請求項２０】
前記張出し材が、前記長尺部分に沿う部分に第２の受け部分を備える、請求項１９に記載のフェンススプレッダ。
【請求項２１】
前記張出し材又は複数の張出し材の各々が当該フェンススプレッダから取外し可能である、請求項１８〜２０のいずれか一項に記載のフェンススプレッダ。
【請求項２２】
前記張出し材が絶縁材料から構成されている、請求項１８〜２１のいずれか一項に記載のフェンススプレッダ。
【請求項２３】
前記第１の受け部分が絶縁性である、請求項１８〜２１のいずれか一項に記載のフェンススプレッダ。
【請求項２４】
前記第２の受け部分が絶縁性である、請求項１８〜２１のいずれか一項に記載のフェンススプレッダ。
【請求項２５】
地面に刺し込まれるスパイクをさらに含む、請求項１〜２４のいずれか一項に記載のフェンススプレッダ。
【請求項２６】
踏板をさらに含む、請求項２５に記載のフェンススプレッダ。
【請求項２７】
請求項１〜２６のいずれか一項に記載のフェンススプレッダを設置するための方法であって、
ａ．隣り合うフェンスワイヤが前記フェンススプレッダの両側に配置されるようにワイヤフェンスに前記フェンススプレッダを通すステップと、
ｂ．各フェンスワイヤが締まり嵌め又はスナップ嵌めで保持されるように、受け溝内に各フェンスワイヤを配置するステップと
を含む方法。
【請求項２８】
請求項１〜２６のいずれか一項に記載のフェンススプレッダを設置するための方法であって、
ａ．隣り合うフェンスワイヤが前記フェンススプレッダの両側に配置され且つ前記受け溝の長手がフェンスワイヤの長手に対して９０度であるように、ワイヤフェンスに前記フェンススプレッダを通すステップと、
ｂ．各フェンスワイヤが締まり嵌め又はスナップ嵌めで保持されるように、各フェンスワイヤが受け溝内にねじり動作により配置されるよう、フェンススプレッダを軸線方向にねじるステップと
を含む方法。
【請求項２９】
請求項１８〜２４のいずれか一項を引用する場合における請求項２７又は２８に記載の方法であって、
ｃ．前記フェンスワイヤが前記受け溝内で配置された後、１つ以上の張出し材を前記フェンススプレッダに接続し、前記張出し材の第１の受け部分又は第２の受け部分内でフェンス材料の電気長手部分を配置するステップ
をさらに含む、方法。
【発明の詳細な説明】
【技術分野】
【０００１】
本発明は、ワイヤフェンスと共に使用するためのフェンススプレッダの改良構造に関する。
【背景技術】
【０００２】
明細書全体を通して従来技術のいかなる記載も、従来技術が公知であること又は当該分野の周知の一般知識を構成することを認めるものではない。
【０００３】
一般的な農業用フェンスはワイヤフェンスであり、このフェンスの支柱は間隔を置いて地面に押し入れ或いは挿入され、垂直方向に間隔が置かれた複数のスチールワイヤがフェンスライン（フェンスの基準線）に沿って張設され、各支柱に結合される。隣り合う支柱間には相当な距離があることがあるため、ワイヤが弛んだり、家畜により引っ張られたりした場合にもワイヤの分離状態を維持することが望ましい。ワイヤ間の垂直方向の分離状態を維持するために、隣り合う支柱間に、複数のフェンススプレッダが間隔をおいて設置される。また、フェンススプレッダは、全てのワイヤのうちの１本のワイヤに家畜により掛けられた力を分散させ、ワイヤの破損の危険性を低減する。
【０００４】
フェンススプレッダの構造は、薄い金属製の支柱又は木製の支柱にワイヤをそれぞれ手で取り付けたりクリップで留めたりするという程度の単純なものである。各ワイヤをスプレッダに取り付ける手段は、ワイヤと支柱の回りで金属製のクリップをねじり付けることであることが多い。この手法は、時間がかかり、実行することが困難であり、及び／又は、工具の使用が必要となる場合がある。
【０００５】
スプレッダの設置に要する時間を減ずる目的で、より複雑な構造が提案されている。国際公開第２００５／１０８７１８号及びオーストラリア特許第２３２３７／９５号明細書には、それぞれ、略Ｕ字状の断面を有する支持体を含むフェンススプレッダが開示されている。フェンスワイヤが、Ｕ字状チャネルの閉鎖側に、支持体の長手方向に沿って間隔を置いて設けられたスロットに挿入され、固定ピンが、挿入されたワイヤとＵ字状チャネルの閉鎖側との間に軸線方向に挿入され、ワイヤを適所に保持する。この構造のスペーサは、従来の単純な構造よりも設置時間を減ずることができるが、複数の構成要素からなり、製造費が比較的高い。極めて多量のスプレッダが用いられるため、製造に費用がかからないことも必要とされる。
【発明の概要】
【発明が解決しようとする課題】
【０００６】
したがって、低コストで設置が容易であるフェンススプレッダが求められている。本発明の目的は、上述の問題点の少なくとも１つを解消又は軽減すること、及び／又は、使用者に有用な選択肢を与えることにある。
【課題を解決するための手段】
【０００７】
本発明は、
第１の面及び第２の面を有する長尺の支持部材であって、両側に第１の面及び第２の面が配置されている支持部材と、
第１の面及び第２の面の各々を横切って形成され、支持部材の長手方向に沿って互いに離隔されている複数の受け溝と
を備えるフェンススプレッダであって、
各受け溝が、フェンスワイヤを締まり嵌め又はスナップ嵌めの状態で保持するように構成され、
使用時に隣り合うフェンスワイヤが当該フェンススプレッダの両側に配置されるように受け溝が構成されている、フェンススプレッダを提供する。
【０００８】
好ましくは、各受け溝は、隣り合う受け溝と反対側の面に配置される。或いは、受け溝は対の状態で、支持部材の長手方向に沿って一方が第１の面に、他方が第２の面に配置される。
【０００９】
好ましくは、各受け溝は１対の突出部間に形成される。長尺の支持部材の長手方向に沿って、突出部の隣り合う対の間に補強リブが延びていることが好ましい。各突出部は前記補強リブの外縁部よりもさらに外側に延びることが好ましい。
【００１０】
或いは、各受け溝は第１の面又は第２の面の凹部として形成される。
【００１１】
好ましくは、各受け溝の幅はフェンスワイヤの直径と概ね等しい。受け溝の幅は、フェンススプレッダが垂直にある場合に、受け溝の垂直方向の高さであると定義される。或いは、各受け溝の幅は支持部材に近いほど狭くなる。好適な形態において、受け溝は、少なくとも１つの狭窄部分と、少なくとも１つの拡張部分とを含み、受け溝は、ある長さのワイヤが狭窄部分により拡張部分内でスナップ嵌めの状態で保持されるように構成されている。より好適には、受け溝は、面取りされた前縁部を含む。非常に好ましい形態において、各受け溝は、１つの直径分のワイヤよりも多くを受けるように構成されている。
【００１２】
好ましくは、フェンススプレッダは、バーブドワイヤを受けるように構成された少なくとも１つの副次的受け溝をさらに備える。好ましくは、前記副次的受け溝は、最上部の受け溝の直下と、上部受け溝から３番目の直下に配置される。或いは、前記副次的受け溝は、最上部の受け溝と、上部受け溝から３番目のものである。非常に好適な実施形態において、副次的受け溝は、副次的狭窄部分と副次的拡張部分とを含み、バーブドワイヤの長手部分が副次的狭窄部分により副次的拡張部分内で保持されるようになっている。好ましくは、副次的狭窄部分は、その副次的狭窄部分内に突出するディンプルを含む。
【００１３】
好ましくは、フェンススプレッダは、絶縁材料から構成される。より好ましくは、フェンススプレッダは、高密度ポリエチレン（ＨＤＰＥ）から構成される。或いは、受け溝が絶縁性である。
【００１４】
好ましくは、フェンススプレッダは、１つ以上の張出し材をさらに備える。好ましくは、張出し材は、一端に接続部分を有し他端に第１の受け部分を有する長尺部分を含む。好ましくは、張出し材は、長尺部分に沿う部分に第２の受け部分をさらに備える。最も好ましくは、張出し材はフェンススプレッダから取外し可能である。また、最も好ましくは、補強リブが、張出し材の接続部分と係合するラグを有する。好ましくは、張出し材は絶縁材料から構成される。或いは、第１の受け部分、もし第２の受け部分があればその第２の受け部分も、絶縁性である。
【００１５】
好ましくは、フェンススプレッダは、地面に刺し込まれるように校正されたスパイクをさらに含む、また、フェンススプレッダは、踏板をさらに含む。
【００１６】
使用時、ワイヤフェンスの隣り合うワイヤは、支持部材の相対する面における受け溝内に配置される。
【００１７】
また、本発明は、上述したようなフェンススプレッダはを設置するための方法を提供するものであり、その方法は、
ａ．隣り合うフェンスワイヤがフェンススプレッダの両側に配置されるようにワイヤフェンスにフェンススプレッダを通すステップと、
ｂ．各フェンスワイヤが締まり嵌め又はスナップ嵌めで保持されるように、受け溝内に各フェンスワイヤを配置するステップと
を含む。
【００１８】
本方法は、好ましくは、
ａ．隣り合うフェンスワイヤがフェンススプレッダの両側に配置され且つ受け溝の長手がフェンスワイヤの長手に対して９０度であるように、ワイヤフェンスにフェンススプレッダを通すステップと、
ｂ．各フェンスワイヤが締まり嵌め又はスナップ嵌めで保持されるように、各フェンスワイヤが受け溝内にねじり動作により配置されるよう、フェンススプレッダを軸線方向にねじるステップと
を含む。
【００１９】
好ましくは、本方法は、
ｃ．ワイヤが受け溝内で配置された後、１つ以上の張出し材をフェンススプレッダに接続し、張出し材の第１の受け部分又は第２の受け部分内でテープ、編組、ワイヤ又はフェンス材料の電気長手部分を配置するステップをさらに含む。
【００２０】
以下、本発明の好適な実施形態について、例示として、添付図面を参照して詳細に説明する。
【図面の簡単な説明】
【００２１】
【図１】フェンススプレッダの最適な実施形態の側面図である。
【図１ａ】図１に示されるフェンススプレッダの一部の斜視図である。
【図２】フェンススプレッダの一部の側面図である。
【図３ａ】受け溝の他の非限定的な形態を示す図である。
【図３ｂ】受け溝の他の非限定的な形態を示す図である。
【図３ｃ】受け溝の他の非限定的な形態を示す図である。
【図４】バーブドワイヤを受けるよう校正された副次的受け溝の側面図である。
【図５】張出し材の側面図である。
【図５ａ】図５に示される張出し材の正面図である。
【図６】フェンススプレッダのＬ字状ラグの詳細な側面図である。
【図７】ワイヤフェンスに設置されたフェンススプレッダの概略側面図である。
【発明を実施するための形態】
【００２２】
本発明の最も好適な実施形態が図１に示されている。フェンススプレッダ（１０）は長尺の支持部材（１２）を含み、この支持部材（１２）は、その両側に配置された第１の面（１４）と第２の面（１６）とを形成している。
【００２３】
支持部材（１２）の長さ（Ｌ）は、フェンスの最上部のワイヤからフェンスの最下部のワイヤまでの距離にほぼ等しいが、それ以上の長さでもよい。最も好適な形態において、支持部材（１２）の長さ（Ｌ）は、フェンスの最上部のワイヤから地面までの距離に等しく、地面に挿入されるスパイク（１７）を含んでいることがより好ましい。フェンススプレッダを地面に押し込むのを助けるために、スパイク（１７）の上方には踏板（２１）が配置されている。いくつかの用途に関しては、スプレッダを地面に固定する必要がなく、踏板（２１）及びスパイク（１７）は省略されてもよい。
【００２４】
第１の面（１４）と第２の面（１６）とのそれぞれから、補強リブ（１３）が直角に延びており、この補強リブは、隣り合う突出部対（突出部については以下で述べる）間で支持部材（１２）の長さ（Ｌ）に沿って延びている。補強リブ（１３）は、支持部材（１２）の長さ（Ｌ）の全体に延びても部分的に延びてもよいが、最も好適な実施形態においては、全長にわたり延びている。補強リブ（１３）は、特に、長尺の支持部材（１２）が過剰に湾曲しないよう、フェンススプレッダに強度を与える。
【００２５】
図１、図１ａ及び図２に示されているように、第１の面（１４）と第２の面（１６）とのそれぞれから、一連の突出部（２０ａ，２０ｂ）対が延びている。各突出部（２０ａ，２０ｂ）は面（１４，１６）の幅を実質的に横切って延び、その面上に、突出部が、支持部材（１２）の長さ（Ｌ）に直角に、配置されている（図１ａに明示されている）。各対の突出部（２０ａ，２０ｂ）の間のスペースには、締り嵌めやスナップ嵌めで、フェンスワイヤの長さを開けるように構成された受け溝（１８）を形成する。突出部（２０ａ，２０ｂ）は補強リブ（１３）の外側縁部（１５）と少なくとも同程度まで延びている。
【００２６】
受け溝（１８）は、複数の適当な形状の一つとすることができるが、最も重要な要件は、それがフェンスワイヤの長手部分を締まり嵌め又はスナップ嵌めで保持することである。図２に明示されるように、最適な実施形態においては、受け溝（１８）は、その溝の最外縁に、湾曲した又は面取りした前縁部（１９）を有している。これは、溝（１８）内にワイヤを導くので、設置中にワイヤを極めて容易に嵌め込むことを可能とする。
【００２７】
受け溝（１８）内で、第１の拡張部分（２４ａ）と第２の拡張部分（２４ｂ）とが第１の狭窄部分（２６ａ）により区切られている。第２の狭窄部分（２６ｂ）は、湾曲した又は面取りした前縁部（１９）から第２の拡張部分（２４ｂ）を区切っている。第１の拡張部分（２４ａ）は、高張力ワイヤを受けるように構成され、第１の狭窄部分（２６ａ）は、第１の拡張部分（２４ａ）内で高張力ワイヤをスナップ嵌めで保持するように構成されている。また、好ましくは、第１の狭窄部分（２６ａ）は、この狭窄部分にワイヤを案内する助けのために、湾曲した又は面取りした前縁部（２７ａ）を有する。第２の拡張部分（２４ｂ）は、線番８ワイヤ（ｎｕｍｂｅｒ  ８  ｗｉｒｅ）を受けるように構成され、第２の狭窄部分（２６ｂ）は、第２の拡張部分（２４ｂ）内で線番８ワイヤをスナップ嵌めで保持するように構成されている。
【００２８】
これは各受け溝の最も好適な形態であるが、受け溝の多くの他の形態もとり得る。最も好適な実施形態により、単一のフェンススプレッダ（１０）が高張力フェンス（比較的薄いワイヤから作られる）又は必要に応じて線番８ワイヤから作られたフェンスのいずれかと共に必要に応じて製造され使用されることができるという利点がもたらされる。
【００２９】
図３ａ、図３ｂ及び図３ｃは、受け溝の色々な他の可能性のある形態を示している。図３ａに示されるように、フェンススプレッダ（１１０）の一実施形態において、受け溝（１１８）は突出部（１２０ａ，１２０ｂ）から形成され、受け溝（１１８）は支持部材（１１２）に近いほど狭くなっており、くさび形状の受け溝（１１８）が形成されるようになっている。平坦なワイヤやバーブドワイヤないしは有刺鉄線を含む色々な寸法のワイヤが受け溝（１１８）内に締まり嵌めで受け入れられ得るので、しかも、色々な寸法の受け溝がフェンススプレッダに形成される必要ないので、くさび形状の溝が有効である。
【００３０】
図３ｂに示されるフェンススプレッダ（２１０）のさらなる実施形態において、受け溝（２１８）は、突出部間に形成されたというよりも、それ自体が支持部材（２１２）に凹部として形成されている。図３ｃに示されるように、フェンススプレッダ（３１０）の別の実施形態においては、切り下げられた受け溝（３１８）がこれもくさび形状とされている。受け溝（１８，１１８，２１８，３１８）の色々な形態は限定的なものとして解釈されるべきではなく、他の形態でも形成され得るものである。また、受け溝は前述したタイプのワイヤに限定されるものでないことも理解されよう。受け溝は、いかなるフェンスワイヤをも受け入れるよう構成され得る。
【００３１】
好適な実施形態において、受け溝（１８）は、図１に示されるように、支持部材の長手方向に沿って、第１の面に１つ、第２の面に１つとなるよう複数対で配置される。このようにして受け溝（１８）の複数対を有することは、フェンススプレッダの使用の容易化を可能とする。しかしながら、フェンススプレッダを設置する際には、いずれかの１対における一方の受け溝（１８）のみが使用されるので、支持部材の一方の面のみが受け溝（１８）を一つだけ、各受け溝（１８）がすぐ隣りの受け溝（１８）と反対の面に有する状態で（すなわち、受け溝（１８）が支持部材（１２）の長手方向に沿って支持部材（１２）の交互の面に配置された状態で）、有するようにすることができる。
【００３２】
バーブドワイヤを有するフェンスを考慮して、少なくとも１つの副次的な受け溝（３２）が図４に示されるように形成されてもよい。典型的には、これらは、最上部の受け溝の直下、最上部の受け溝に代えて、及び／又は、その代わりに、最上部の受け溝から３番目の直上又は直下に配置される。図４は、最上部の受け溝（１８）から３番目の直下に配置された副次的受け溝（３２）を示している。この副次的受け溝（３２）は、バーブドワイヤのストランドが比較的大きな直径であるため、受け溝（１８）よりも大きい。好ましくは、副次的受け溝（３２）は副次的な拡張部分（３３）と副次的狭窄部分（３４）を備え、副次的狭窄部分（３４）は、バーブドワイヤを保持するためにこの副次的狭窄部分（３４）内へと突出するディンプル（３５）を備える。
【００３３】
図５に示されるように、好ましい付属的な特徴部分は取外し可能な張出し材（４０）である。張出し材（スタンドオフとしても知られている）により、電気テープ、電気編組又は電気ワイヤをフェンスラインからずらした状態で保持することかできる。張出し材（４０）は、一端に接続部分（４３）、他端に第１の受け部分（４２）が設けられた長尺部分（４１）を有している。接続部分（４３）は、フェンススプレッダ（１０）の補強リブ（１３）又は支持部材（１２）に接続する。好ましくは、接続部分（４３）は、断面がＣ字状であり（図５ａを参照）、補強リブ（１３）の回りで、図１に見ることができ図６により詳細に見ることができる補強リブ（１３）上のＬ字状ラグ（４５）と係合して摺動する。ラグ（４５）に隣接するディンプル（４６）によって、張出し材（４０）は適所にカチンとはめ込まれる。なお、特定の構成について述べたが、いかなる接続用の構成でも足りるであろう。
【００３４】
或いは、好ましいわけではないが、張出し材（４０）は支持部材（１２）が一体的に形成されてもよい。フェンススプレッダ（１０）の設置はフェンスワイヤにスプレッダ（１０）を通す必要があり、フェンスが高張力となるので、張出し材（４０）は脱着可能であることが好適である。取外し可能な張出し材によって、スプレッダ（１０）がフェンスに取り付けた後、張出し材を取り付けることができる。また、脱着可能な張出し材は、１つの張出し材の使用が任意であることを意味する。
【００３５】
より好適には、張出し材は、図５に示されるように、上方に且つ支持部材から離れる方向に湾曲しており、２つの向き（上方に且つ支持部材から離れる方向、又は下方に且つ支持部材から離れる方向）に取り付けられ得る。
【００３６】
任意的ではあるが、張出し材に沿う一部分が電気フェンス材料の長手部分を保持するための第２の受け部分（４４）である。この第２の受け部分（４４）は単純なフック状であることが好ましい。
【００３７】
張出し材、第１の受け部分若しくは第２の受け部分又はこれらの組合せは電気的に設置される。
【００３８】
使用時、フェンススプレッダ（１０）はワイヤフェンスのワイヤ（３０）間に挿入され、隣り合うワイヤ（３０）が支持部材（１２）の両側に配置されるようになっている。図７に示されるように、最上部のワイヤ（３０ａ）が第１の面（１４）上の受け溝（１８）に配置される場合、下の次のワイヤ（３０ｂ）が第２の面（１６）の適当な受け溝（１８）に挿入される。下の３番目のワイヤ（３０ｃ）が第１の面（１４）の受け溝（１８）に挿入され、同様にして全てのワイヤが受け溝（１８）に配置されるまで同様とされる。
【００３９】
好適な実施形態のためのフェンススプレッダ（１０）の設置方法は、次のステップを含む。
（ａ）隣り合うフェンスワイヤ（３０）がフェンススプレッダの両側に配置され且つ受け溝（１８）の長手がフェンスワイヤの長手に対して９０度であるように、フェンスワイヤにフェンススプレッダ（１０）を通すステップ。すなわち、フェンススプレッダ（１０）は最終設置状態から軸線方向に９０度回転される。
（ｂ）各ワイヤ（３０）がねじり動作を通して受け溝（１８）に配置され、該ワイヤ（３０）が締まり嵌め又はスナップ嵌めで保持されるように、フェンススプレッダ（１０）を軸線方向にねじるステップ。各受け溝（１８）の面取りされた前縁部（１９）がワイヤ（３０）を対応の受け溝（１８）に引き入れる助けとなる。
【００４０】
任意的なステップとして、ワイヤ（３０）が受け溝（１８）内に配置された後、張出し材（４０）がフェンススプレッダ（１０）に接続されてもよく、テープ、編組、又はフェンス材料の同様な電気長手部分が、各張出し材（４０）の第１の受け部分（４２）又は第２の受け部分（４４）内に配置されてもよい。
【００４１】
ワイヤの張力は、支持部材（１２）の両側から支持部材（１２）に力を与え、フェンス上に適所にフェンススプレッダ（１０）を保持する。この設置方法は迅速で単純であり、クリップや締結具の使用を不要とし、工具も不要とする。他の設計構造とは異なり、フェンスのワイヤは、フェンススプレッダの受け溝に嵌合させるために相当な操作が不要であり、これは高張力のフェンスに特に重要である。さらに、各フェンススプレッダが単一の構成要素（任意的な張出し材を例外として）から構成され、これによって、従来の設計構造よりも単純に設置することを可能とし、部品をなくしたり脱落させたりする危険がない。
【００４２】
支持部材（１２）が添付図面では矩形断面として示されているが、支持部材（１２）は、円形を含む他の断面形状の長尺部材とすることかできる。支持部材（１２）が円形断面である場合、第１の面（１４）及び第２の面（１６）は支持部材（１２）の対向する側であり、すなわち、接線が平行である。補強リブ（１３）が好ましいが、それは本質的なものではない。
【００４３】
受け溝（１８，１１８）が突出部（２０ａ，２０ｂ）対の間に形成される場合、突出部は支持部材（１２）が一体的に形成されても、適当な手段により個々独立の構成要素が取り付けられてもよい。
【００４４】
スプレッダが非電気フェンスで用いられるべき場合、スプレッダは、例えば金属材料又はプラスチック材料のような適当な材料から作られるとよい。
【００４５】
スプレッダが電気フェンスで用いられるべき場合、ワイヤは互いから絶縁できなければならない。これは、絶縁材料（例えば、グラスファイバ、プラスチック材料、好ましくはＨＤＰＥ）からスプレッダの全体を作ることによって、又は絶縁材料から少なくとも１つの突出部（２０ａ，２０ｂ）又は受け溝（１８）を作ることによって達成され得る。
【図１】
2017510732.tif 000003
【図１ａ】
2017510732.tif 000004
【図２】
2017510732.tif 000005
【図３ａ】
2017510732.tif 000006
【図３ｂ】
2017510732.tif 000007
【図３ｃ】
2017510732.tif 000008
【図４】
2017510732.tif 000009
【図５】
2017510732.tif 000010
【図５ａ】
2017510732.tif 000011
【図６】
2017510732.tif 000012
【図７】
2017510732.tif 000013
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
ａ．第１の面及び第２の面を有する長尺の支持部材であって、両側に前記第１の面及び前記第２の面が配置されている支持部材と、
ｂ．前記第１の面及び前記第２の面の各々を横切って形成され、前記支持部材の長手方向に沿って互いに離隔されている複数の受け溝であって、各々が前記第１の面又は前記第２の面の凹部として形成されている複数の受け溝と
を備えるフェンススプレッダであって、
ｃ．前記受け溝の各々が、フェンスワイヤをスナップ嵌めの態様で保持するように構成され、
ｄ．使用時に隣り合う前記フェンスワイヤが当該フェンススプレッダの両側に配置されるように前記受け溝が構成されている、フェンススプレッダ。
【請求項２】
ａ．第１の面及び第２の面を有する長尺の支持部材であって、両側に前記第１の面及び前記第２の面が配置されている支持部材と、
ｂ．前記第１の面及び前記第２の面の各々を横切って形成され、前記支持部材の長手方向に沿って互いに離隔されている複数の受け溝と
を備えるフェンススプレッダであって、
ｃ．前記受け溝の各々が、ある長さのフェンスワイヤを狭窄部分より拡張部分内に保持するように構成され、
ｄ．使用時に隣り合う前記フェンスワイヤが当該フェンススプレッダの両側に配置されるように前記受け溝が構成されている、フェンススプレッダ。
【請求項３】
前記受け溝の各々が、隣り合う前記受け溝と反対側の面に配置されている、請求項１又は２に記載のフェンススプレッダ。
【請求項４】
前記受け溝は対の状態で、前記支持部材の長手方向に沿って一方が前記第１の面に、他方が前記第２の面に配置されている、請求項１又は２に記載のフェンススプレッダ。
【請求項５】
前記受け溝の各々が、１つの直径分のワイヤよりも多くを受けるように構成されている、請求項１又は２に記載のフェンススプレッダ。
【請求項６】
絶縁材料から構成されている、請求項１又は２に記載のフェンススプレッダ。
【請求項７】
高密度ポリエチレンから構成されている、請求項６に記載のフェンススプレッダ。
【請求項８】
フェンス支柱ないしはフェンススプレッダに接続される張出し材であって、
ａ．前記フェンススプレッダ上のリブの周りで前記フェンススプレッダに当該張出し材を接続する、一端に設けられた接続部分と、
ｂ．フェンス材料をフェンスラインから離して保持させることができる、他端に設けられた第１の受け部分と
を有する長尺部分を備える、張出し材。
【請求項９】
前記接続部分が前記フェンススプレッダの前記リブの周りで摺動する、請求項８に記載の張出し材。
【請求項１０】
前記接続部分が断面Ｃ字状であり、前記フェンススプレッダの前記リブ上にあるＬ字状のラグと係合する、請求項８に記載の張出し材。
【請求項１１】
当該張出し材が上方に且つ前記フェンススプレッダから離れる方向に湾曲している、請求項８に記載の張出し材。
【請求項１２】
当該張出し材が下方に且つ前記フェンススプレッダから離れる方向に湾曲している、請求項８に記載の張出し材。
【請求項１３】
前記長尺部分に沿う部分に第２の受け部分をさらに備える、請求項８に記載の張出し材。
【請求項１４】
前記フェンス支柱ないしは前記フェンススプレッダから取外し可能である、請求項８に記載の張出し材。
【請求項１５】
絶縁材料から構成されている、請求項８に記載の張出し材。
【請求項１６】
前記フェンス材料が、電気テープ、電気編組又は電気ワイヤである、請求項８に記載の張出し材。
【請求項１７】
請求項１又は２に記載のフェンススプレッダと、請求項８に記載の１つ以上の張出し材との組み合わせ。
【請求項１８】
請求項１又は２に記載のフェンススプレッダを設置するための方法であって、
ａ．隣り合うフェンスワイヤが前記フェンススプレッダの両側に配置されるようにワイヤフェンスに前記フェンススプレッダを通すステップと、
ｂ．受け溝内に各フェンスワイヤを配置するステップと
を含む方法。
【請求項１９】
前記ワイヤフェンスに前記フェンススプレッダを通す前記ステップｂの実行中に、通している間の前記フェンススプレッダの前記受け溝がフェンスワイヤの長手に対して９０度であり、前記ステップｂにおいて、前記フェンススプレッダは、各フェンスワイヤが受け溝内にねじり動作により配置されるよう、軸線方向にねじられる、請求項１８に記載の方法。
【請求項２０】
フェンススプレッダと張出し材と設置する方法であって、
ａ．請求項１８に記載の方法によってフェンススプレッダを設置するステップと、
ｂ．請求項８に記載の１つ又は複数の張出し材を前記フェンススプレッダに接続し、前記１つの張出し材又は前記複数の張出し材の各々の受け部分内に電気テープ、電気編組又は電気ワイヤを配置するステップと
を含む、方法。
【国際調査報告】
2017510732.tif 000014
2017510732.tif 000015
2017510732.tif 000016